(57)【要約】　　　（修正有）【課題】ボンベの転倒の虞を小さくできるボンベ転倒防止装置を提供する。【解決手段】４つのボンベ５が配置されるボンベ転倒防止装置１において、設置面に載置され固定されるプレート部２と、プレート部２の中央部に立設され固定される支柱部３と、支柱部３の中間部に設けられ、４つの被掛着部３１３が、平面視において各被掛着部３１３に対し支柱部３の中央を中心として略対称な位置に他の被掛着部３１３が配置されるように設けられた支持部３１と、ボンベ５に装着可能であって被掛着部３１３に掛着可能に構成された４つのバンド４と、を備え、バンド４を各ボンベ５に装着し各被掛着部３１３に掛着したときに、各ボンベ５がプレート部２上に載置されるように構成する。【選択図】　　図１
0003100555.tif 000002
【実用新案登録請求の範囲】
【請求項１】
　偶数のボンベが配置されるボンベ転倒防止装置であって、
　設置面に載置され固定されるプレート部と、
　前記プレート部の中央部に立設され固定される支柱部と、
　前記支柱部の中間部に設けられ、前記ボンベの配置数と同数の被掛着部が、平面視において前記各被掛着部に対し前記支柱部の中央を中心として略対称な位置に他の前記被掛着部が配置されるように設けられた支持部と、
　前記ボンベに装着可能であって前記被掛着部に掛着可能に構成された、前記ボンベの配置数と同数のバンドと、
　を備え、
　前記バンドを前記各ボンベに１つずつ装着して、前記各被掛着部に１つずつ掛着したときに、前記各ボンベが前記プレート部上に載置されるように構成されていることを特徴とするボンベ転倒防止装置。
【請求項２】
　前記ボンベの配置数が４つであって、
　前記プレート部が、平面視において略正方形状をなし、
　前記被掛着部が、平面視において前記プレート部の各辺の垂直２等分線に略重なる位置にそれぞれ配設されている
　ことを特徴とする請求項１記載のボンベ転倒防止装置。
【請求項３】
　前記ボンベの配置数が４つであって、
　前記プレート部が、平面視において略正方形状をなし、
　前記被掛着部が、平面視において前記プレート部の対角線に略重なる位置にそれぞれ配設されている
　ことを特徴とする請求項１記載のボンベ転倒防止装置。
【請求項４】
　前記ボンベの配置数が２つであって、
　前記プレート部が、平面視において略正方形状以外の略長方形状をなし、
　前記被掛着部が、平面視において前記プレート部の短辺の垂直２等分線に略重なる位置にそれぞれ配設されている
　ことを特徴とする請求項１記載のボンベ転倒防止装置。
【請求項５】
　前記支柱部が、少なくとも、前記支持部と、長さが異なる複数の柱体部とに分解可能であり、
　前記各柱体部は、前記支持部の上部と下部のいずれにも連結可能であって、前記プレート部の中央部に設けられた支柱固定部に連結可能である
　ことを特徴とする請求項１、２、３、または、４記載のボンベ転倒防止装置。
【請求項６】
　前記バンドが金属製であって、全体形状が略固定化され、前記ボンベに外嵌可能であることを特徴とする請求項１、２、３、４、または、５記載のボンベ転倒防止装置。
【請求項７】
　前記被掛着部が、突出部を有する鉤形状に形成され、前記支持部の基部から立設されて、前記突出部が内方に向かって突出し、
　前記バンドが、前記ボンベに巻回される略Ｃ字形状の巻回部と、前記巻回部の両端部を連結し、略Ｌ字形状に外側に突出する掛着部とを有して、前記掛着部が前記被掛着部に通されて掛着される
　ことを特徴とする請求項６記載のボンベ転倒防止装置。
【考案の詳細な説明】
【技術分野】
【０００１】
　本考案は、高圧ガス等のボンベの転倒防止装置に関し、特に偶数のボンベが配置されるボンベ転倒防止装置に関する。
【背景技術】
【０００２】
　従来、高圧ガス等のボンベは、外周にチェーンを巻回し、建物の壁面にボルトで留められた固定金具にそのチェーンを係留することにより、転倒防止が図られている。
【考案の開示】
【考案が解決しようとする課題】
【０００３】
　しかし、上記従来の転倒防止方法では、地震によりボンベや建物自体に強い揺れが生じると、固定金具を留めていたボルトが壁面から抜けて、固定金具自体が壁面から脱落し、ボンベが転倒してしまうという問題があった。
【０００４】
　この考案は、上述した問題を解決するものであり、ボンベの転倒の虞を小さくできるボンベ転倒防止装置を提供することを目的とする。
【課題を解決するための手段】
【０００５】
　本考案のボンベ転倒防止装置は、偶数のボンベが配置されるボンベ転倒防止装置であって、設置面に載置され固定されるプレート部と、前記プレート部の中央部に立設され固定される支柱部と、前記支柱部の中間部に設けられ、前記ボンベの配置数と同数の被掛着部が、平面視において前記各被掛着部に対し前記支柱部の中央を中心として略対称な位置に他の前記被掛着部が配置されるように設けられた支持部と、前記ボンベに装着可能であって前記被掛着部に掛着可能に構成された、前記ボンベの配置数と同数のバンドと、を備え、前記バンドを前記各ボンベに１つずつ装着して、前記各被掛着部に１つずつ掛着したときに、前記各ボンベが前記プレート部上に載置されるように構成されていることを特徴とする。
【０００６】
　ここで、前記ボンベの配置数が４つであって、前記プレート部が、平面視において略正方形状をなし、前記被掛着部が、平面視において前記プレート部の各辺の垂直２等分線に略重なる位置にそれぞれ配設されていることが好ましい。
【０００７】
　また、前記ボンベの配置数が４つであって、前記プレート部が、平面視において略正方形状をなし、前記被掛着部が、平面視において前記プレート部の対角線に略重なる位置にそれぞれ配設されていることとしてもよい。
【０００８】
　また、前記ボンベの配置数を２つとし、前記プレート部が、平面視において略正方形状以外の略長方形状をなし、前記被掛着部が、平面視において前記プレート部の短辺の垂直２等分線に略重なる位置にそれぞれ配設されていることとしてもよい。
【０００９】
　さらに、前記支柱部が、少なくとも、前記支持部と、長さが異なる複数の柱体部とに分解可能であり、前記各柱体部は、前記支持部の上部と下部のいずれにも連結可能であって、前記プレート部の中央部に設けられた支柱固定部に連結可能であることが好ましい。
【００１０】
　また、前記バンドが金属製であって、全体形状が略固定化され、前記ボンベに外嵌可能であることが好ましい。
【００１１】
　そして、前記被掛着部が、突出部を有する鉤形状に形成され、前記支持部の基部から立設されて、前記突出部が内方に向かって突出し、前記バンドが、前記ボンベに巻回される略Ｃ字形状の巻回部と、前記巻回部の両端部を連結し、略Ｌ字形状に外側に突出する掛着部とを有して、前記掛着部が前記被掛着部に通されて掛着されることとしてもよい。
【考案の効果】
【００１２】
　本考案によれば、被掛着部の配置位置に従って、ボンベがプレート部の各方面に載置されることとなり、ボンベの自重によりプレート部の各方面が押さえられることになるため、地震による揺れ等があっても、プレート部が設置面から浮き上がる虞は小さい。しかも、プレート部に固定された支柱部の支持部に、各ボンベは支持されており、支持部自体が脱落する虞は小さい。したがって、ボンベが転倒する虞は小さくなる。
【００１３】
　また、ボンベの配置数が４つの場合に、プレート部が、平面視において略正方形状をなし、被掛着部が、平面視においてプレート部の各辺の垂直２等分線または対角線に略重なる位置にそれぞれ配設されていることとすれば、プレート部の四方がボンベの自重により略均等に押さえられることになるため、地震による揺れ等があっても、プレート部が設置面から浮き上がる虞は小さく、ボンベが転倒する虞は小さくなる。
【００１４】
　また、ボンベの配置数が２つの場合に、プレート部が、平面視において略正方形状以外の略長方形状をなし、被掛着部が、平面視においてプレート部の短辺の垂直２等分線に略重なる位置にそれぞれ配設されていることとすれば、プレート部の長手方向における両側がボンベの自重により略均等に押さえられることになり、地震による揺れ等があっても、プレート部が設置面から浮き上がる虞は小さく、ボンベが転倒する虞は小さくなる。
【００１５】
　さらに、支柱部が、少なくとも、支持部と、長さが異なる複数の柱体部とに分解可能であり、各柱体部は、支持部の上部と下部のいずれにも連結可能であって、プレート部の中央部に設けられた支柱固定部に連結可能であることとすれば、支持部の下部に連結される柱体部を入れ替えることにより、支持部の高さが変わるので、ボンベの高さに合わせて支持部の高さを変更でき、ボンベを適当な位置で支持できるので、ボンベの転倒の虞が更に小さくなる。
【００１６】
　また、バンドが金属製であって、全体形状が略固定化され、ボンベに外嵌可能であることとすれば、被掛着部に対するボンベの位置がバンドによって強く規制される。したがって、ボンベの位置決めが容易であるとともに、地震による揺れ等があっても、ボンベの位置がずれにくく、ボンベの転倒の虞が更に小さくなる。
【００１７】
　そして、被掛着部が、突出部を有する鉤形状に形成され、支持部の基部から立設されて、突出部が内方に向かって突出し、バンドが、ボンベに巻回される略Ｃ字形状の巻回部と、巻回部の両端部を連結し、略Ｌ字形状に外側に突出する掛着部とを有して、掛着部が被掛着部に通されて掛着されることとすれば、バンドが一部が略Ｌ字形状に外側に突出したリング形状をなすので、バンドをボンベの上から通すだけでバンドがボンベに装着され、バンドの装着が容易であるとともに、掛着部を被掛着部に通すだけでバンドが被掛着部に掛着されるので、バンドの掛着が容易である。
【考案を実施するための最良の形態】
【００１８】
　以下、本考案の第１実施形態を図面に基づいて説明する。
【００１９】
　図１は、４つのボンベ５が配置された第１実施形態のボンベ転倒防止装置（以下、単に装置とも言う。）１の斜視図（但し、手前のボンベ５は２点鎖線で図示したもの）であり、図２はその平面図、図３は図２のIII矢視図（但し、手前及び奥のボンベ５は省略したもの）である。装置１は、プレート部２と、プレート部２の中央部に立設される支柱部３と、ボンベ５に外嵌され、支柱部３の支持部３１に掛着されるバンド４と、プレート部２を設置面６に固定するアンカーボルト７とから構成されている。
【００２０】
　プレート部２は、ステンレス鋼等の金属製であり、図４及び図５に示すように、略正方形の板状の台部２４と、台部２４の中央部に立設された支柱固定部２１とから構成され、平面視において略正方形状をなしている。支柱固定部２１は、円筒状のソケット部２１１と、ソケット部２１１の四方に延設されるリブ部２１２とからなり、ソケット部２１１は、内面に螺旋状の溝が形成されて、雌螺子を構成している。そして、支柱固定部２１の下端は台部２４に溶接され、ソケット部２１１の下端の開口は台部２４により閉塞されている。プレート部２の四隅には、アンカーボルト７が挿通されるボルト孔２２がそれぞれ穿設されている。
【００２１】
　支柱部３は、ステンレス鋼等の金属製で、柱状をなし、図６に示すように、第１柱体部３２と、支持部３１と、第２柱体部３３と、頭部連結部３４と、頭部３５とに分解可能である。
【００２２】
　第１柱体部３２は、横断面円形の管状をなし、両端部には、外面に螺旋状の溝が形成されることにより、雄螺子が形成され、ソケット部２１１に羅着可能とされている。第２柱体部３３も、第１柱体部３２と同径の横断面円形の管状をなし、両端部には雄螺子が形成されて、ソケット部２１１に螺着可能とされている。但し、第２柱体部３３の長さは、第１柱体部３２の長さよりも短くされている。
【００２３】
　支持部３１は、図６及び図７に示すように、略正方形の板状の基部３１１と、基部３１１の中央部を貫通して、基部３１１に溶接された柱体連結部３１２と、基部３１１の４つの角部にそれぞれ立設された被掛着部３１３とから構成されている。柱体連結部３１２は、円筒状で、内面に螺旋状の溝が形成されて、雌螺子を構成している。そして、第１柱体部３２が、柱体連結部３１２の上部と下部のいずれにも螺着可能とされるとともに、第２柱体部３３も、柱体連結部３１２の上部と下部のいずれにも螺着可能とされている。各被掛着部３１３は、突出部３１３ａを有する鉤形状に形成されている。そして、各被掛着部３１３は、基部３１１の対角線上に立設され、突出部３１３ａは装置１の内方に向かって突出している。ここで、装置１の内方とは、支柱部３の中心軸に向かう方向を言い、外方とは、その反対方向を言う。
【００２４】
　頭部連結部３４は、円筒状をなし、内面に螺旋状の溝が形成されて、雌螺子を構成しており、第１柱体部３２と第２柱体部３３のいずれにも螺着可能とされている。
【００２５】
　頭部３５は、ブッシング部３５１と、ブッシング部３５１に連結された先端部３５２とから構成されている。ブッシング部３５１の下部は、外面に螺旋状の溝が形成されて、雄螺子を構成しており、頭部連結部３４に螺着可能とされている。ブッシング部３５１の上部は、平面視において外周が六角形状をなすように外方に突出している。また、ブッシング部３５１には、円形の孔が軸方向に貫通しており、この孔の上部は雌螺子を構成している。先端部３５は、横断面円形の管状をなし、上端開口部は閉塞されている。そして、先端部３５２の下端部には雄螺子が形成されており、先端部３５２はブッシング部３５１の上部に螺着されている。
【００２６】
　そして、第１柱体部３２の下端部が支柱固定部２１に螺着され、第１柱体部３２の上端部が支持部３１の下部に螺着され、支持部３１の上部に第２柱体部３３の下端部が螺着され、第２柱体部３３の上端部に頭部連結部３４の下部が螺着され、頭部連結部３４の上部に頭部３５のブッシング部３５１が螺着されることにより、図１に示すように、支柱部３がプレート部２の中央部に立設されて固定され、支持部３１は支柱部３の中間部に設けられることとなる。
【００２７】
　また、図２に示すように、被掛着部３１３は、平面視においてプレート部２の各辺の垂直２等分線（図２では２点鎖線で示す）に略重なる位置にそれぞれ設けられ、各被掛着部３１３に対し、平面視において支柱部３の中央を中心として略対称な位置に他の被掛着部３１３が配置されることとなる。すなわち、各被掛着部３１３を符号（Ａ）〜（Ｄ）で区別すれば、被掛着部３１３（Ａ）に対しては被掛着部３１３（Ｃ）が、被掛着部３１３（Ｂ）に対しては被掛着部３１３（Ｄ）が、被掛着部３１３（Ｃ）に対しては被掛着部３１３（Ａ）が、被掛着部３１３（Ｄ）に対しては被掛着部３１３（Ｂ）が、平面視において支柱部３の中央を中心として略対称な位置に配置されることとなる。
【００２８】
　バンド４は、ステンレス鋼等の金属製で、全体形状が略固定化されており、本実施形態では、図８に示すように、一部が略Ｌ字形状に外側に突出したリング形状に形成されている。すなわち、バンド４は、平面視において略Ｃ字形状をなす巻回部４１と略Ｌ字形状をなす掛着部４２とを備え、掛着部４２は、巻回部４１の両端部を連結するように、アジャストビス４３により巻回部４１に連結されている。また、図３に示すように、掛着部４２の（図３上下方向における）幅は、支持部３１の基部３１１上面から被掛着部３１３の突出部３１３ａ下端までの高さより小さく形成されており、このため、掛着部４２を被掛着部３１３に通したときに、掛着部４２が被掛着部３１３の突出部３１３ａより下の部分に掛かり、突出部３１３ａにより掛着部４２の抜脱が防止される。なお、巻回部４１は、ボンベ５をしっかりと支持するため、掛着部４２よりも幅広に形成されている。また、巻回部４１と掛着部４２の重なりの程度を調節することにより、巻回部４１の径はボンベ５の径に合わせられる。
【００２９】
　上記のように構成された装置１には、以下に説明するように、４つのボンベ５が配設される。まず、プレート部２を設置面６に載置し、アンカーボルト７でプレート部２を設置面６に固定する。次に、プレート部２上に１番目のボンベ５を載置する。このとき、図２に示すように、そのボンベ５を掛着しようとする被掛着部３１３より外方に、ボンベ５を配置する。そして、バンド４をボンベ５の上から通してボンベ５に外嵌し、巻回部４１でボンベ５を巻回し、掛着部４２を内方に向けて、被掛着部３１３に通して掛着する。同様にして、２〜４番目のボンベ５を、それぞれプレート部２上に載置し、バンド４を外嵌して被掛着部３１３に掛着する。
【００３０】
　ここで、バンド４は、チェーンのように全体形状が変化してしまうことがなく、一部が略Ｌ字形状に外側に突出したリング状に全体形状が略固定化されており、かかるバンド４の決まった部分、すなわち、掛着部４２の折曲した部分が、被掛着部３１３に掛着される。したがって、そのようなバンド４が外嵌されたボンベ５は、被掛着部３１３の位置によって配置位置が規制されることとなる。そして、図２に示すように、各被掛着部３１３は、支柱部３の中央を中心として略対称な位置に他の被掛着部３１３が来るように配置されていることから、各ボンベ５は、支柱部３の中央を中心として略対称な位置に他のボンベ５が来るように配置されることとなる。
【００３１】
　このように、各ボンベ５に対し、平面視において支柱部３の中央を中心として略対称な位置に他のボンベ５が配置されることから、プレート部２の四方が、略均等にボンベ５の自重により押さえられることとなり、このため、地震による振動等が発生しても、プレート部２が設置面６から浮き上がる虞は小さい。そして、ボンベ５はバンド４を介して支持部３１に支持されているが、支持部３１は、建物の壁面ではなく、プレート部２に立設された支柱部３に設けられているので、支持部３自体が設置箇所から脱落する虞も小さい。したがって、ボンベ５が転倒する虞は小さいものとなる。
【００３２】
　また、被掛着部３１３は、平面視においてプレート部２の各辺の垂直２等分線に略重なる位置にそれぞれ設けられていることから、ボンベ５も、図２に示すように、平面視においてプレート部２の各辺の垂直２等分線によって略２等分されるような位置にそれぞれ設けられることとなり、バランスよくプレート部２の四方を押さえることとなる。
【００３３】
　なお、図１では、支持部３１の下部に第１柱体部３２を、支持部３１の上部に第２柱体部３３を連結したが、ボンベ５の高さが低い場合には、図９に示すように、支持部３１の上部に第１柱体部３２を連結し、支持部３１の下部に第２柱体部３３を連結して、第２柱体部３３を支柱固定部２１に連結することにより、支持部３１の位置を低くして、ボンベ５をその高さに応じた適当な位置で支持することができる。
【００３４】
　また、装置１を２本のボンベを配置するものとして使用することもでき、かかる場合には、４つの被掛着部３１３の内、支柱部３の中央を中心として互いに略対称な位置にある２つの被掛着部３１３を用いて、２本のボンベを配設する。
【００３５】
　次に、本考案の第２実施形態を図面に基づいて説明する。
【００３６】
　図１０は、２つのボンベ５が配置された第２実施形態のボンベ転倒防止装置１０の斜視図であり、図１１はその平面図である。以下の説明において、第１実施形態と同様に構成された部分については、同じ符号を用い、その説明を適宜省略する。なお、支持部３１０は支持部３１と同様に構成されているが、機能的に異なる部分があるので、異なる符号を用いる。
【００３７】
　装置１０は、プレート部２０と、プレート部２０の中央部に立設される支柱部３と、ボンベ５に外嵌され、支柱部３の支持部３１０に掛着されるバンド４と、プレート部２０を設置面に固定するアンカーボルト７とから構成されている。
【００３８】
　プレート部２０は、ステンレス鋼等の金属製であり、略長方形（ここでは略正方形を除く）の板状の台部２５と、台部２５の中央部に立設された支柱固定部２１とから構成され、平面視において略正方形状以外の略長方形状をなしている。
【００３９】
　プレート部２０には、支柱部３が立設され固定される。支柱部３の中間部には、支持部３１０が設けられている。ここで、支持部３１０は、部品を共通化するため、第１実施形態の支持部３１と同じ構造とされている。但し、被掛着部３１３として用いられるのは、平面視においてプレート部２０の短辺の垂直２等分線（図１１では、２点鎖線で示す。）に略重なる位置に設けられた２つの被掛着部３１３だけであり、第１実施形態で被掛着部３１３として用いられていた部材３１４は、第２実施形態では被掛着部３１３としては用いられない。
【００４０】
　装置１０には、次のようにして、２つのボンベ５が配置される。まず、プレート部２０をアンカーボルト７で設置面に固定する。そして、１番目のボンベ５を、プレート部２上の長手方向における一方の側に載置し、そのボンベ５にバンド４を外嵌して、そのバンド４を同じ側の被掛着部３１３に掛着する。次に、２番目のボンベ５をプレート部２上の長手方向における他方の側に載置し、そのボンベ５にバンド４を外嵌して、そのバンド４を同じ側の被掛着部３１３に掛着する。
【００４１】
　これにより、２つのボンベ５は、図１１に示すように、平面視において支柱部３の中央を中心として互いに略対称な位置に配置されることとなり、プレート部２０の両側が略均等にボンベ５の自重により押さえられることとなる。このため、地震による振動等が発生しても、プレート部２０が設置面から浮き上がる虞は小さい。そして、ボンベ５を支持する支持部３１０自体が設置箇所から脱落する虞も小さいので、ボンベ５が転倒する虞は小さくなる。また、第１実施形態のプレート部２に比して、第２実施形態のプレート部２０は設置スペースが小さくてすむので、装置１０は、家庭等、設置スペースに余裕の無い場所に適している。
【００４２】
　なお、装置１０では、装置１と部品を共通化するため、支持部３１と同じ構造の支持部３１０を用いたが、部材３１４が設けられていない支持部３１０を用いることとしても、勿論よい。
【００４３】
　また、第１実施形態の装置１において、被掛着部３１３を、平面視においてプレート部２の対角線に略重なる位置にそれぞれ配設し、各ボンベ５がプレート部２の対角線上に配置されるように構成してもよい。このように構成しても、ボンベ５の自重によりプレート部２の四方が略均等に押さえられることとなる。
【００４４】
　また、プレート部２やプレート部２０の形状も変更可能であり、例えば、プレート部２を平面視において略八角形状となるように構成したり、プレート部２０を平面視において略楕円形状となるように構成したりしてもよい。
【００４５】
　また、バンド４や被掛着部３１３の形状も上述したものに限られず、例えば、バンド４を、図１２（ａ）に示すように、略Ｃ字形状の巻回部４１に、略コ字形状の掛着部４２を有する連結部材４４を連結したものや、図１２（ｂ）に示すように、ボンベ５の径より若干大きい径を有する円環状の巻回部４１に、小径の環状の掛着部４２を連結したものとしてもよい。そして、図１３に示すように、被掛着部３１３に掛着部４２を掛着したときに、掛着部４２の遊びを少なくするために、被掛着部３１３を、支柱部３の外周接線方向において掛着部４２に応じた幅を有する形状としてもよい。
【００４６】
　また、バンド４をチェーンとしてもよいが、上記のようにバンド４の全体形状を略固定化すれば、ボンベ５に巻回したときにずれにくく、また、ボンベ５が配置位置から動きにくくなる。
【００４７】
　すなわち、実用新案登録請求の範囲を逸脱しない範囲で、本考案は種々の構成を採り得る。
【図面の簡単な説明】
【００４８】
【図１】第１実施形態のボンベ転倒防止装置の斜視図（但し、手前のボンベを２点鎖線で図示したもの）である。
【図２】第１実施形態のボンベ転倒防止装置の平面図である。
【図３】図２のIII矢視図（但し、手前及び奥のボンベを省略したもの）である。
【図４】図１のプレート部の平面図である。
【図５】図１のプレート部の側面図である。
【図６】図１の支柱部の分解断面図である。
【図７】図１の支持部の平面図である。
【図８】図１のバンドの平面図である。
【図９】図３において第１柱体部と第２柱体部を入れ替え、高さの低いボンベを配置した場合の図である。
【図１０】第２実施形態のボンベ転倒防止装置の斜視図である。
【図１１】第２実施形態のボンベ転倒防止装置の平面図である。
【図１２】他の実施形態のバンドの平面図である。
【図１３】他の実施形態の被掛着部の斜視図である。
【符号の説明】
【００４９】
　１、１０…ボンベ転倒防止装置
　２、２０…プレート部
　３…支柱部
　４…バンド
　５…ボンベ
　６…設置面
　７…アンカーボルト
　２１…支柱固定部
　３１…支持部
　３２…第１柱体部
　３３…第２柱体部
　４１…巻回部
　４２…掛着部
　３１３…被掛着部
　３１３ａ…突出部
【図１】
0003100555.tif 000003
【図２】
0003100555.tif 000004
【図３】
0003100555.tif 000005
【図４】
0003100555.tif 000006
【図５】
0003100555.tif 000007
【図６】
0003100555.tif 000008
【図７】
0003100555.tif 000009
【図８】
0003100555.tif 000010
【図９】
0003100555.tif 000011
【図１０】
0003100555.tif 000012
【図１１】
0003100555.tif 000013
【図１２】
0003100555.tif 000014
【図１３】
0003100555.tif 000015